(57)【特許請求の範囲】
【請求項１】
ディスク状記録媒体に記録されている情報を再生して再生信号を出力する情報再生装置と、
上記情報再生装置と別体に形成され且つ当該情報再生装置を駆動制御するための操作信号を出力すると共に上記再生信号の供給を受けて上記情報を画像として表示する表示部を有するコントロール装置と、
上記コントロール装置と上記情報再生装置との間に上記操作信号及び上記再生信号を伝達させる信号伝達手段と、
上記情報再生装置を駆動するための電力を供給する電源装置と、
を設け、
上記電源装置は、上記情報再生装置を挟むように構成された第１の電池収納体及び第２の電池収納体と、上記第１の電池収納体及び第２の電池収納体に収納された電池と、を有し、
上記第１の電池収納体と上記第２の電池収納体との間に上記情報再生装置を出し入れ可能として、上記情報再生装置に上記電源装置を着脱可能に構成した
電子機器。
【請求項２】
上記情報再生装置は、
ディスク装着部に装着されたディスク状記録媒体を回転駆動するディスク回転機構と、
上記ディスク回転機構により回転駆動される上記ディスク状記録媒体の情報記録面に沿って半径方向に進退移動可能とされると共に当該情報記録面から情報信号を読み出して上記再生信号を出力するピックアップ装置と、を有するプレーヤ本体と、
上記プレーや本体の上記ディスク装着部を開閉する蓋体と、を有し、
上記第１の電池収納体及び上記蓋体を一体的に開閉可能とした
請求項１記載の電子機器。
【請求項３】
上記コントロール装置は、
上記操作信号の発生及び上記再生信号の供給による表示部の画面表示を制御する操作部と、
上記表示部の開閉及びその開放時においてスタンドとなし得る蓋体と、
を有する
請求項１記載の電子機器。
【請求項４】
上記信号伝達手段は、
上記情報再生装置に一端が接続され且つ上記コントロール装置に他端が接続される接続コードである
請求項１記載の電子機器。
【発明の詳細な説明】
【０００１】
【発明の属する技術分野】
本発明は、ディスク状記録媒体に記録されている情報を再生して信号を出力する情報再生装置と、この情報再生装置により再生された信号に基づいて情報を画面にて表示する表示部を有するコントロール装置とが別体に設けられ、これら情報再生装置及びコントロール装置間の信号の遣り取りを信号伝達手段で行うようにした電子機器に関するものである。
【０００２】
【従来の技術】
従来、一般に、ディスク状記録媒体に記録されている情報を再生して出力する情報再生装置と、この情報再生装置により再生された信号に基づいて情報を表示部の画面に表示するコントロール装置と、これら情報再生装置及びコントロール装置間を接続コードで接続して使用される電子機器が提供されている。
【０００３】
このような電子機器としては、例えば、情報再生装置であるＤＶＤプレーヤと、表示部の一具体例を示すブラウン管を有するコントロール装置であるテレビジョンと、これらＤＶＤプレーヤ及びテレビジョン間を電気的に接続する接続コードとから構成されるものを挙げることができる。このものは、テレビジョンが十分に大きな電子機器であるばかりでなく、ＤＶＤプレーヤも比較的大きな電子機器であった。そのため、これらＤＶＤプレーヤ及びテレビジョンは専らインドアで固定的に使用されており、これらをアウトドアに持ち出して楽しむというような発想は見られなかった。
【０００４】
【発明が解決しようとする課題】
しかしながら、このような電子機器においても、装置の小型化、軽量化の要望は非常に高くあり、また、インドアのみならず、アウトドアで気軽に楽しみたいという希望も増えてきた。例えば、一般的なヘッドホン・ステレオと同様に、ＤＶＤプレーヤを小型化、軽量化してユーザーの首や肩等に掛けた状態で使用できるようになれば、表示装置として小型化、軽量化が実現されている液晶ディスプレイと組み合わせて使用することにより、アウトドアにおいても気軽に楽しむことができるようになる。
【０００５】
本発明は、このような従来の課題に鑑みてなされたものであり、情報再生装置とコントロール装置を別体に設けると共に、これら情報再生装置及びコントロール装置を有線又は無線の信号伝達手段で結ぶことにより、従来ではインドアのみで楽しむことができた映像鑑賞等をアウトドアでも気軽に楽しむことができるようにすることを目的としている。
【０００６】
【課題を解決するための手段】
上述したような課題等を解決し、上記目的を達成するために、本出願の電子機器は、ディスク状記録媒体に記録されている情報を再生して再生信号を出力する情報再生装置と、情報再生装置と別体に形成され且つ情報再生装置を駆動制御するための操作信号を出力すると共に再生信号の供給を受けて情報を画像として表示する表示部を有するコントロール装置と、コントロール装置と情報再生装置との間に操作信号及び再生信号を伝達させる信号伝達手段と、情報再生装置を駆動するための電力を供給する電源装置と、を設け、電源装置は、情報再生装置を挟むように構成された第１の電池収納体及び第２の電池収納体と、第１の電池収納体及び第２の電池収納体に収納された電池と、を有し、第１の電池収納体と第２の電池収納体との間に情報再生装置を出し入れ可能として、情報再生装置に電源装置を着脱可能に構成した。
【０００７】
上述のように構成したことにより、本出願の電子機器では、情報再生装置とコントロール装置と電源装置とが別個独立に構成されており、情報再生装置及びコントロール装置間が信号伝達手段によって接続され、この信号伝達手段を介してコントロール装置から情報再生装置に操作信号が供給されると共に情報再生装置からコントロール装置に再生信号が供給される。そして、電源装置から情報再生装置に電力が供給され、情報再生が行われる。そのため、一般のヘッドホン・ステレオ等と同様に、ＤＶＤプレーヤ等の電子機器を動作させて、従来ではインドアのみでしか楽しむことができなかった映像鑑賞等をアウトドアでも気軽に楽しむことができる。
【０００８】
【発明の実施の形態】
以下、本発明の実施の形態を添付図面を参照して説明する。図１乃至図２１は本発明の電子装置の一実施例を示すもので、携帯用ＤＶＤプレーヤとそのコントロール装置等から構成したものである。即ち、図１は本発明の電子装置の構成を示す斜視図、図２は本発明の電子装置に係る情報再生装置であるＤＶＤプレーヤに電源装置を装着した状態の外観斜視図、図３は同じく平面図、図４は同じく電源装置の半分を取り除いた状態の底面図、図５はＤＶＤプレーヤの平面図、図６は電源装置の半分を取り除いた状態の正面図、図７はＤＶＤプレーヤの背面図、図８は電源装置を装着した状態の側面図、図９はＤＶＤプレーヤの側面図、図１０はＤＶＤプレーヤの蓋体を開いた状態の斜視図、図１１は電源装置に電力を充電する状態を示す説明図である。
【０００９】
また、図１２はコントロール装置の第１の実施例を示すもので、同図Ａは平面図、同図Ｂは側面図、同図Ｃはスプリングピンの拡大斜視図、図１３は蓋体を開いた状態の平面図、図１４は図１３の中央部を断面して示す説明図、図１５は第１の実施例に係るコントロール装置を示すもので、同図Ａは蓋体を９０度より僅か少ない角度で開いた状態の側面図、同図Ｂは略９０度開いた状態の側面図、図１６は第１の実施例に係るコントロール装置を示すもので、同図Ａは蓋体を略２７０度以上開いてスタンドとした状態の側面図、同図Ｂは略３６０度開いた状態の側面図、図１７はコントロール装置の第２の実施例を示すもので、同図Ａは側面図、同図Ｂは略９０度開いた状態の側面図、同図Ｃは略２７０度開いた状態の側面図、図１８はコントロール装置の第３の実施例を示す側面図、図１９はコントロール装置の第４の実施例を示すもので、同図Ａは平面図、同図Ｂはクリック円板の拡大分解斜視図、図２０はコントロール装置の第５の実施例を示すもので、同図Ａは平面図、同図Ｂは蓋体を開いた側面図、同図Ｃは蓋体を底面に付けた状態の側面図、図２１はコントロール装置の第６の実施例を示すもので、同図Ａは平面図、同図Ｂは側面図である。
【００１０】
図１に示すように、この電子機器は、情報再生装置の一具体例を示すＤＶＤ（デジタルバーチャルディスク：Digital Virtual Disk) プレーヤ１と、このＤＶＤプレーヤ１の操作をリモートコントロール制御するコントロール装置２と、このコントロール装置２及びＤＶＤプレーヤ１に電力を供給する電源装置３と、ＤＶＤプレーヤ１及びコントロール装置２間を電気的に接続する信号伝達手段の一具体例を示す第１の接続コード４と、ＤＶＤプレーヤ１と他の電子機器（例えば、テレビジョン等）との間を接続するための第２の接続コード５等を備えて構成されている。
【００１１】
図１〜図１０に示すように、ＤＶＤプレーヤ１は、円盤体の周方向の一部にテラス状の突出部６ａが設けられたシェル形状をなす装置本体であるプレーヤ本体６と、このプレーヤ本体６の上面に設けられた円形の凹陥部からなるディスク収納部７を開閉自在に覆う同じくシェル形状をなす蓋体８と、この蓋体８を閉じた状態でロックするバックル体９等から構成されている。図１０に示すように、プレーヤ本体６のディスク収納部７には、プレーヤ本体６に弾性支持されたディスクドライブ装置１０が配設されている。
【００１２】
ディスクドライブ装置１０は、ディスク収納部７の中央部に配置されたターンテーブル１１と、このターンテーブル１１に装着されたディスク状記録媒体の具体例を示すＤＶＤやＣＤ（コンパクトディスク）等の光学ディスクの情報記録面に対する情報信号の再生（読み出し）及び記録（書き込み）の一方又は両方を行う光学ピックアップ装置１２等を備えている。図示しないが、ターンテーブル１１は、シャーシに固定部が固定されたスピンドルモータの回転部に取り付けられており、また、光学ピックアップ装置１２は、シャーシに固定された一対のガイド軸にスライド可能に支持されている。一対のガイド軸は、所定の間隔をあけて互いに平行とされており、その前端部はスピンドルモータを挟むように配置されていると共に、その後端部は後方に延在されている。
【００１３】
このディスクドライブ装置１０の上面はカバープレート１３によって覆われている。このカバープレート１３には、円形の中央穴１４ａと、この中央穴１４ａに連続して後方に延在された長穴状の開口部１４ｂとが設けられている。そして、中央穴１４ａからターンテーブル１１が上方へ突出され、開口部１４ｂには光学ピックアップ装置１２の光学ヘッド１２ａが挿入されている。この光学ヘッド１２ａの対物レンズ１５が、ターンテーブル１１に装着された光学ディスクの情報記録面に対向される。
【００１４】
ターンテーブル１１は、光学ディスクのセンタ穴に嵌合される嵌合部１１ａと、この嵌合部１１ａと一体に形成されると共に光学ディスクのセンタ穴の周縁部が載置される載置部１１ｂとを有している。ターンテーブル１１の嵌合部１１ａには、周方向へ略等間隔をあけて複数の係合爪が設けられている。各係合爪は、載置部１１ｂの半径方向へ移動可能とされていて、常時はスプリングによって半径方向外側へ付勢されている。このスプリングのバネ力に抗して係合爪を後退させることにより嵌合部１１ａを光学ディスクのセンタ穴に嵌合させることができる。この嵌合状態では、各係合爪がスプリングのバネ力でセンタ穴の周縁部に係合固定される。これにより、光学ディスクがターンテーブル１１にチャッキングされ、ターンテーブル１１と一体的に光学ディスクが回転駆動される。
【００１５】
プレーヤ本体６の上面に重ね合わされる蓋体８の外周縁には、周方向に連続して下面側に突出する側面部８ｂが設けられている。そして、蓋体８の突出部８ａには、下面側に突出する一対のアーム片１７，１７が設けられている。各アーム片１７は、突出部８ａが重ね合わされる突出部６ａを貫通してプレーヤ本体６の内部に挿入され、その先端部が支持軸１８によって回動自在に支持されている。支持軸１８は、プレーヤ本体６の突出部６ａの側面によって両端支持されており、この支持軸１８を回動中心として蓋体８を俯仰動作させることができる。
【００１６】
その結果、蓋体８を押し倒してプレーヤ本体６に重ね合わせることにより、ディスク収納部７が蓋体８によって完全に閉じられる。この際、蓋体８に設けた蓋開閉検出片１９によって蓋開閉スイッチが操作され、蓋体８を閉じた状態が検出される。蓋開閉検出片１９は、蓋体８の側面部８ｂの自由端側（アーム片１７と反対側）に配置されている。この蓋開閉検出片１９に対応してプレーヤ本体６のディスク収納部７には蓋体用の検出穴２０が設けられており、この検出穴２０の内側に蓋開閉スイッチが配置されている。
【００１７】
また、図示しないが、プレーヤ本体６には蓋体８の一方のアーム片１７に関連して、蓋体８を任意の開閉角度において保持することができる蓋体姿勢保持機構が設けられている。この蓋体姿勢保持機構は、蓋体８の回動操作に伴って所定の摩擦力を付与することにより所定の力で蓋体８をスムースに開閉操作できるようにすると共に、任意の開閉位置においてその開閉角度を保持することができるようにするものである。このような蓋体姿勢保持機構としては、例えば、アーム片１７とプレーヤ本体６側の部材との間に適当な大きさの摩擦力を発生する摩擦摺動機構やダンパ装置等を適用することができる。
【００１８】
更に、プレーヤ本体６の突出部６ａと反対側の前面部には、バックル体９が回動自在に取り付けられている。バックル体９は、プレーヤ本体６の側面部に装着できるようにその側面形状に見合う形状とされていて、周方向と直交する幅方向の一側においてプレーヤ本体６にヒンジ結合されている。即ち、バックル体９の幅方向の一側には軸受部９ａが設けられ、この軸受部９ａがプレーヤ本体６の一対の軸受凸部６ｂ，６ｂ間に挿入されている。この一対の軸受凸部６ｂ，６ｂ及び軸受部９ａに回動軸を貫通させることによってヒンジ部２１が構成されている。そして、プレーヤ本体６のヒンジ部２１と反対側の面には、バックル体９の幅方向の他側が着脱自在に装着される切欠き部２２が設けられている。
【００１９】
プレーヤ本体６の切欠き部２２の略中央部には、後述するリモートコントロール装置の受光部２３が設けられている。この受光部２３は、プレーヤ本体６の正面及び上面の２面に受光面を有するように形成されている。この受光部２３の正面側の受光面を露出させるため、図１に示すように、バックル体９の略中央部には開口窓２４が設けられている。
【００２０】
更に、バックル体９の幅方向の他側には、蓋体８を係合保持するための係合部９ｂが進退動作機構によって進退動作可能に設けられている。この進退動作機構は、係合部９ｂを常時外側に付勢するスプリングと、このスプリングのバネ力に抗して係合部９ｂを進退動作させる操作片２５等を有している。このバックル体９の係合部９ｂに対応させて蓋体８の自由端側の略中央部には、係合部９ｂが着脱自在に係合される係合受部２６が設けられている。
【００２１】
この蓋体８の係合受部２６は、ディスク収納部７を閉じた状態では切欠き部２２の略中央部に配置される。この係合受部２６とバックル体９の係合部９ｂとはプレーヤ本体６に蓋体８を重ね合わせた状態では互いの先端同士が当接するが、バックル体９をそのまま押圧することにより、スプリングのバネ力に抗して係合部９ｂが後退し、その係合部９ｂが係合受部２６の先端部を乗り越えるようになされている。そして、係合部９ｂを係合受部２６に係合することにより、バックル体９によって蓋体８が強固に締め付けられてロックされる。
【００２２】
このバックル体９による蓋体８のロック状態は、次の２つの態様によって簡単に解除することができる。第１のロック解除操作は、操作片２５を周方向へスライドさせて行う場合である。このとき、操作片２５を周方向へスライド操作すると、スプリングのバネ力に抗して係合部９ｂが後退し、これにより、係合部９ｂによる係合受部２６の係合が解除される。その結果、バックル体９の引き起し操作が可能となり、この引き起し操作によって係合部９ｂが係合受部２６から大きく引き離され、蓋体８の引き起し操作が可能となる。この場合には、バックル体９の引き起し操作を、小さな力で簡単且つスムースに行うことができる。
【００２３】
蓋体８のロック状態の第２のロック解除操作は、操作片２５のスライド操作を省略して、直接バックル体９を引き起して行うものである。この場合、バックル体９を引き起すと、スプリングのバネ力及び操作片２５の動きが抵抗力となるため第１のロック解除操作の場合よりも大きな引き起し力が必要となるが、スプリングのバネ力を適宜な強さに設定することにより、このバックル体９の引き起し操作を可能とすることができる。
【００２４】
このバックル体９の開閉動作を検出するため、バックル体９の内面には開閉突起が設けられている。この開閉突起に対応させてプレーヤ本体６の切欠き部２２の側面には、バックル用の検出穴２７が設けられている。この検出穴２７の内側に、バックル体９の開閉動作を検出するためのバックル開閉スイッチが配置されている。この際、バックル体９を完全に装着して蓋体８をロックすることにより、開閉突起が検出穴２７内に挿入される。その結果、開閉突起によってバックル開閉スイッチが操作され、バックル体９をロックした状態が検出される。
【００２５】
また、プレーヤ本体６の側面部には、第１のソケット部２８及び第２のソケット部２９並びにイヤホーンジャック３０と、充電ランプ３１ａや電源ランプ３１ｂ等の表示ランプと、再生ボタンやボリュームスイッチその他の操作手段３２とが設けられている。第１及び第２のソケット部２８，２９並びにイヤホーンジャック３０はプレーヤ本体６の左側面部に配設され、表示ランプ及び操作手段３２はプレーヤ本体６の右側面部に配設されている。
【００２６】
このような構成を有するＤＶＤプレーヤ１には、電源装置３が着脱自在に装着される。電源装置３は、図１に示すように、第１の電池ケース３４と第２の電池ケース３５とを有し、両電池ケース３４，３５は互いに回動自在に連結されている。各電池ケース３４，３５は、それぞれ長方形をなす平板状の容器体からなり、その平面形状は略同一形状とされているが、その長手方向には第１の電池ケースである上電池ケース３４よりも第２の電池ケースである下電池ケース３５の方が長く形成されている。そして、両電池ケース３４，３５の幅は、プレーヤ本体６の突出部６ａ及び蓋体８の突出部８ａの幅よりも少々広く設定されている。
【００２７】
各電池ケース３４，３５の長手方向の一端部には、それぞれ幅方向の両側に突出する連結部３４ａ，３５ａが設けられている。上下の電池ケース３４，３５は、互いの連結部３４ａ，３５ａを連結することによって回動自在とされて一体に構成されている。この電源装置３の連結手段によって上下の電池ケース３４，３５は、上下方向へ所定の隙間を開けて略平行とされる閉じた状態と、下電池ケース３５に対して上電池ケース３４を任意角度（例えば、４５度や６０度等）傾斜させた開いた状態とを取ることができる。
【００２８】
この上下の電池ケース３４，３５間の所定の隙間はＤＶＤプレーヤ１の厚みであり、上下の電池ケース３４，３５間にＤＶＤプレーヤ１が挿入される。このように挿入されたＤＶＤプレーヤ１の位置決めをなすために、上電池ケース３４の先端部には係合凹凸部３６が設けられている。この係合凹凸部３６に対応して蓋体８には、断面Ｌ字状をなすフック部３７が設けられている。このフック部３７は蓋体８の係合受部２６の近傍に設置されており、このフック部３７に係合凹凸部３６を係合することにより、蓋体８に対する上電池ケース３４の位置決めと、蓋体８及び上電池ケース３４間の結合とを同時に行うことができる。
【００２９】
更に、下電池ケース３５には固定ネジ３８が回動自在に取り付けられている。この固定ネジ３８は、下電池ケース３５のプレーヤ本体６の突出部６ａと対応する位置に配置されている。この固定ネジ３８に対応してプレーヤ本体６の裏面にはネジ穴が設けられており、そのネジ穴に固定ネジ３８を螺合することによって下電池ケース３５がＤＶＤプレーヤ１に固定される。この下電池ケース３５の固定状態において、上電池ケース３４は蓋体８と一体的に回動される。即ち、蓋体８は、上電池ケース３４を取り付けた状態でディスク収納部７を自在に開閉することができる。
【００３０】
この上電池ケース３４には、充電作業の可能な適当な数の電池４０が収納されている。また、下電池ケース３５には、同じく充電作業の可能な適当な数の電池４０と、安全回路４１とが収納されている。安全回路４１は、この電源装置３から定格以上の大電流が流れたり、電圧が設定値以下に低下している等の電力に対する異常を検出するものである。この場合、安全回路４１が大電流を検出したり、電圧の異常を検出した場合には、いずれかの電池４０に異常があるものと判断して警告信号を出力するようにする。尚、各電池４０には温度ヒューズを取り付けて、各電池４０毎に温度管理を行うことが好ましい。
【００３１】
安全回路４１には上電池ケース３４の各電池４０と下電池ケース３５の各電池４０とがそれぞれ接続されている。この安全回路４１が、図  に示すように、コネクタ４２に接続されている。このコネクタ４２は下電池ケース３５の背面部に一体に設けられており、このコネクタ４２に接続されるプラグ４３がプレーヤ本体６の背面部に一体に設けられている。従って、電源装置３をＤＶＤプレーヤ１に装着することにより、コネクタ４２とプラグ４３とが自動的に接続され、電源装置３からＤＶＤプレーヤ１に電力が自動的に供給される。
【００３２】
このような構成を有するＤＶＤプレーヤ１のプレーヤ本体６、蓋体８、バックル体９及び電池ケース３４，３５の材質としては、例えば、ＡＢＳ（アクリロニトリル・ブタジエン・スチレン樹脂）、ＰＯＭ（ポリアセタール）その他のエンジニアリングプラスチックを適用することができるが、アルミニウム合金その他の金属を用いることもできる。
【００３３】
また、コントロール装置２は、図１及び図１２Ａ〜Ｃ等に示すような構成を有している。即ち、表示装置本体としてのキャビネット５０と、表示部としての一具体例を示す液晶ディスプレイ５１と、この液晶ディスプレイ５１を開閉する蓋体である開閉蓋５２と、各種形式のスイッチ手段や調節手段等からなる操作部５３等を備えて構成されている。
【００３４】
キャビネット５０は略四角形をなす中空の筐体からなり、横方向とされた長手方向の一方に若干偏倚させて開口窓５４が設けられ、また長手方向の他方には幅方向に適当な間隔をあけて複数（本実施例では３個）の開口穴５５ａ，５５ｂ及び５５ｃが設けられている。そして、開口窓５４には液晶ディスプレイ５１が嵌め込まれており、また、複数の開口穴５５ａ〜５５ｃには操作部５３の各種の操作ボタンがそれぞれ挿入されている。上側である第１の開口穴５５ａには、再生、早送り及び巻戻しの基本操作を選択的に行うことができる基本操作スイッチの操作ボタン５６ａが装着されている。この操作ボタン５６ａは、例えば、中央部を押圧することによって再生のオン・オフ操作を得ることができ、また、各側部を押圧することによって早送り及び巻戻し操作を選択的に得ることができるようになされている。
【００３５】
また、中央である第２の開口穴５５ｂには、モードの選択及び決定を行うことができるモード選択スイッチの選択ボタン５６ｂが装着されている。この選択ボタン５６ｂは、例えば、上下左右の四方を押圧することによって各種のモードを選択することができ、また、中央部を押圧することによって選択されたモードを決定することができるようになされている。更に、下側である第３の開口穴５５ｃには、電源スイッチの電源ボタン５６ｃが装着されている。この電源ボタン５６ｃを横方向へスライドさせることによって電源のオン・オフが行われる。
【００３６】
更に、キャビネット５０の開口穴５５ａ〜５５ｃ側の側面には、幅方向に延在された長穴５５ｄが設けられている。この長穴５５ｄには、音量を調節するためのボリュームスイッチの２つの調節ボタン５６ｄ，５６ｅが装着されている。一方の調節ボタン５６ｄは音量を高くするもので、他方の調節ボタン５６ｄは音量を低くするものである。
【００３７】
図１及び図１３等に示すように、キャビネット５０の上面には、開閉蓋５２の取付部５８が設けられている。この取付部５８は、キャビネット５０の上面に設けられた２個の突条部５９ａ，５９ｂと、開閉蓋５２の上部に設けられた突条部６０ａ，６０ｂと、これら突条部５９ａ，６０ａ及び５９ｂ，６０ｂ間に介在された連結ブロック６１と、抵抗手段の一具体例を示す２個のスプリングピン６２，６２等によって構成されている。
【００３８】
２組の突条部５９ａ，６０ａ及び５９ｂ，６０ｂは、略同一の形状及び構造を有しており、互いに所定の隙間をあけて同一軸心線上に設定されている。そして、一方の突条部５９ａ，６０ａの内面には、それぞれスプリングピン６２の軸方向の一側が圧入されて固定されている。スプリングピン６２は、図１２Ｃに拡大して示すように、金属製円筒管にスリット６２ａを設けることによって形成されている。スプリングピン６２のスリット６２ａは、円筒管の一端から他端まで連通するように設けられており、このスリット６２ａの幅の分だけ弾性的に直径を縮小できるようにして弾性を付与している。尚、スリット６２ａの形状は、図示実施例では波形に形成したが、直線状、曲線状、鋸歯状或いは角歯状その他の形状に形成できるものである。
【００３９】
また、他方の突条部５９ｂ，６０ｂの内面には、それぞれスプリングピン６２側に突出する軸凸部６３，６３が設けられている。各軸凸部６３の直径はスプリングピン６２の外径と略同程度の大きさに設定されており、これら２個の軸凸部６３，６３及び２個のスプリングピン６２の突出部を連結ブロック６１が同時に挟持している。連結ブロック６１は、樋状に形成された２個のブロック片６１ａ，６１ｂと、両ブロック片６１ａ，６１ｂを締付固定するための固定ボルト６４との組み合わせによって構成されている。一方のブロック片６１ａの略中央部には貫通孔６５が設けられている。また、他方のブロック片６１ｂの内面の略中央部にはボス部６６が設けられ、このボス部６６には固定ボルト６４のネジ部が螺合されるネジ孔６６ａが設けられている。
【００４０】
かくして、図１４に示すように、２個の軸凸部６３，６３及び２個のスプリングピン６２の下側に下ブロック片６１ｂをあてがい、上側から上ブロック片６１ａをあてがった後、上下のブロック片６１ａ，６１ｂを固定ボルト６４で締付固定する。これにより、連結ブロック６１を介してキャビネット５０及び開閉蓋５２間が、２箇所にヒンジ構造を有する取付部５８によって回動自在に連結される。この際、固定ボルト６４の締付力を調節してスプリングピン６２の弾性力を調節することにより、そのスプリングピン６２と連結ブロック６１との間の摩擦力を変化させて開閉蓋５２を開閉する際の操作力を調節することができる。
【００４１】
開閉蓋５２は、図１２Ａ，Ｂ等に示すように、キャビネット５０の液晶ディスプレイ５１を含む表示面の略全体を覆うことができる大きさの板体からなり、その上端縁に上述したられた突条部６０ａ，６０ｂが一体に形成されている。この開閉蓋５２は、２箇所にヒンジ構造を有する取付部５８によってキャビネット５０と回動自在に連結されているため、表示面に対して最大で略３６０回動させることができる。そして、略３６０度回動させて開閉蓋５２を背面側に移動させることにより、この開閉蓋５２をキャビネット５０のスタンドとして用いることができる。
【００４２】
このような構成を有するコントロール装置２のキャビネット５０、開閉蓋５２及び連結ブロック６１の材質としては、例えば、ＡＢＳ、ＰＯＭその他のエンジニアリングプラスチックを適用することができるが、アルミニウム合金その他の金属を用いることもできる。
【００４３】
また、キャビネット５０の操作部５３側の下部には、コントロール装置２をＤＶＤプレーヤ１と接続するための信号伝達手段の一具体例を示す第１の接続コード７０の一端が固定的に接続されている。この第１の接続コード７０の他端には、ＤＶＤプレーヤ１と接続するための第１のプラグ７０が一体的に取り付けられている。
【００４４】
第１のプラグ７０は、断面四角形の中空体からなるプラグ本体７１と、このプラグ本体７１の背面側に結合された半円形をなすキャップ体７２と、プラグ本体７１の先端側から突出された端子カバー７３等を有している。キャップ体７２の先端側は幅細に形成されていると共に、その幅細部の一面に、プレーヤ本体６の第１のソケット部２８に差し込む際の差込み方向を規制するガイド突条７４が２箇所に設けられている。この一対のガイド突条７４に対応させて第１のソケット部２８には、摺動可能に嵌まり合う一対のガイド溝２８が設けられている。
【００４５】
更に、図１に示すように、プラグ本体７１の幅広側の一面の先端部には、前方に円弧状に突出する誤挿入防止凸部７５ａが設けられている。これと対称をなすようにプラグ本体７１の幅広側の他面の先端部には、先端縁に開口する円弧状の切欠きからなる誤挿入防止凹部が設けられている。このように、プラグ本体７１の差込み側の先端部の上下に誤挿入を防止するための凸部と凹部を設けることにより、第１のプラグ７０の誤挿入によって端子カバー７３の内側に配設される多数の端子が破損されるおそれをなくすことができる。更に、プラグ本体７１に一対のガイド突条７４を設けることにより、第１のプラグ７０を捩じるようにして抜き取る方向に引っ張る外力に対して、端子カバー７３内の端子が破損されるのを防止することができる。
【００４６】
第１のプラグ７０の端子カバー７３は、断面四角形の細長い枠体からなり、その内側に長手方向に沿って多数の端子が一列（複数例でも良い。）に配置されている。また、キャップ体７２の後部には、接続コード４の線材が斜め後方から挿入されている。このように接続コード４の線材の取り出し方向を斜め側方に設定することにより、接続コード４の導出方向を電源装置３の長手方向と略同様の方向に規制することができる。これにより、接続コード４の第１のプラグ７０の接続部に掛かる負荷を少なくして、短絡や断線等の不具合の発生を抑制することができる。尚、第１のプラグ７０のプラグ本体７１は、ガイド突条７４の根元部分まで挿入される。
【００４７】
プレーヤ本体６の第２のソケット部２９には、ＤＶＤプレーヤ１を他の電子装置と接続するための第２の接続コード５の一端に設けられた第２のプラグ７７が着脱自在に装着される。第２のプラグ７７は、差込み側である先端部から突出された端子カバー７８を有している。この端子カバー７８は、断面四角形の細長い枠体からなり、その内側に長手方向に沿って多数の端子が一列（複数例でも良い。）に配置されている。
【００４８】
第２の接続コード５の他端には、他の電子機器の一具体例を示すテレビジョン等に接続するための接続器８０が固定されて一体的に設けられている。接続器８０は、偏平とされた中空の筐体からなり、一方の端面側から接続コード４の線材が挿入されている。接続器８０の他方の端面には、複数の端子８１が横並びに配置されている。このような端子８１としては、例えば、映像端子、Ｓ１映像端子、左右の音声端子等を挙げることができる。
【００４９】
このような構成を有する電子機器は、例えば、次のようにして使用することができる。電源装置３は、予めＤＶＤプレーヤ１に装着して一体的に組付けておくようにする。即ち、電源装置３の上電池ケース３４と下電池ケース３５との間に、プレーヤ本体６の突出部６ａ側からＤＶＤプレーヤ１を差し込み、上電池ケース３４の係合凹部３６を蓋体８の突起部３７に係合させる。このとき、ＤＶＤプレーヤ１を所定位置まで差し込むことにより、プレーヤ本体６に設けられたプラグが下電池ケース３５に設けられたソケットに嵌合される。その結果、ＤＶＤプレーヤ１及び電源装置３間が電気的に接続される。
【００５０】
次に、下電池ケース３５の固定ネジ３８をプレーヤ本体６のネジ孔に螺合させて締め付ける。これにより、ＤＶＤプレーヤ１に対して電源装置３が一体的に組み立てられる。その後、ＤＶＤプレーヤ１及びコントロール装置２間を第１の接続コード４によって接続する。即ち、第１の接続コード４の第１のプラグ７０をプレーヤ本体６の第１のソケット部２８に差し込むことにより、第１の接続コード４を介してＤＶＤプレーヤ１及びコントロール装置２間が電気的に接続される。このように、第１のプラグ７０を第１のソケット部２８に差し込むだけで、ＤＶＤプレーヤ１とコントロール装置２との間の電気的接続を実現することができる。
【００５１】
ＤＶＤプレーヤ１に光学ディスクを装着する作業は、例えば、次のようにして行うことができる。まず、バックル体９を引き起し、このバックル体９による蓋体８のロックを解除する。これは、バックル体９の係合部９ｂ側に指を引っ掛けて起こすことによって簡単に行うことができる。しかしながら、この場合にはバックル体９を引き起こすために大きな力が必要となる。このバックル体９を解除するための力を小さくするには、解除片２５をスライド操作して係合部９ｂを後退させ、係合部９ｂによる係合受部２６との係合状態を解除する。これにより、バックル体９は、極めて小さな力で簡単に引き起こすことができる。
【００５２】
ここで、バックル体９を引き起こしてロックを解除すると、バックル体９の内面に設けた検出突起がプレーヤ本体６のバックル用検出穴から抜け出す。これにより、バックル体９のロックを検出する検出スイッチがオフとなり、その検出信号がコントロール装置２に送出される。
【００５３】
次に、バックル体９の引き起こしによって露出された係合受部２６を指先で保持し、蓋体８の前側を任意の高さまで引き上げる。これにより、プレーヤ本体６の上面に設けたディスク収納部７が開放され、ディスクドライブ装置１０が露出される。
【００５４】
このとき、蓋体８の蓋開閉検出片１９がプレーヤ本体６の蓋用検出穴２０から抜け出す。これにより、蓋体８の開閉状態を検出する検出スイッチがオフとなり、その検出信号がコントロール装置２に送出される。この蓋体８の開放信号及び上述したバックル体９の解除信号の少なくとも一方がコントロール装置２に供給される場合には、ディスクドライブ装置１０は駆動されることがない。
【００５５】
この場合、電源装置３の上電池ケース３４は蓋体８と一体に回動され、蓋体８と一緒に上方へ跳上げられる。この状態でディスクドライブ装置１０のターンテーブル１１に、所望の光学ディスクを装着し、ディスク状情報記録媒体のチャッキングを行う。
【００５６】
次に、上電池ケース３４と一緒に蓋体８を閉じる。このとき、蓋体８を完全に閉じると、蓋開閉検出片１９が蓋用検出穴２０に挿入される。これにより、蓋体８の閉じ状態を検出する検出スイッチがオンとなり、その検出信号がコントロール装置２に供給される。この検出信号のみでは、ディスクドライブ装置１０が駆動されることはない。
【００５７】
次に、バックル体９を押し上げて係合部９ｂを係合受部２６に係合させる。これにより、バックル体９を介して蓋体８がプレーヤ本体６に強固にロックされる。このとき、バックル体９を完全に閉じると、検出突起がバックル用検出穴に挿入される。これにより、バックル体９のロック状態を検出する検出スイッチがオンとなり、その検出信号がコントロール装置２に供給される。この検出信号と上述した蓋体用の検出信号とが共にコントロール装置２に供給されることにより、ディスクドライブ装置１０の駆動が可能となる。
【００５８】
このようにして使用準備が完了するＤＶＤプレーヤ１は、インドアにおいても使用可能であるが、アウトドアにおいて使用するのに好適である。そのため、ＤＶＤプレーヤ１は、例えば、図示しないストラップを使用して吊り下げ可能に構成し、首等に吊り下げて持ち運び可能に構成することが好ましい。この場合には、コントロール装置２のみを手に持って操作することにより、アウトドアにおいて光学ディスクに記録されている情報の映像を、コントロール装置２の液晶ディスプレイ５１によって気軽に楽しむことができる。
【００５９】
次に、コントロール装置２の操作の実施例を説明する。図１５Ａは、使用者がコントロール装置２を手で持ち、蓋体８をキャビネット５０の表示面に対して９０度より若干少ない角度を以て開いている状態を示す。これにより、液晶ディスプレイ５１の表示内容が操作者には見えるが、他人には覗かれ難くなる。また、図１５Ｂは、使用者がコントロール装置２を手で持ち、蓋体８をキャビネット５０の表示面に対して９０度開いている状態を示す。この場合には、蓋体８を日除けとして用いることができる。
【００６０】
図１６Ａは、蓋体８をキャビネット５０の表示面に対して２７０度以上の任意の角度だけ回動し、キャビネット５０及び蓋体８の各自由端側を机等の平面Ｐ上に載置した状態を示す。これにより、蓋体８を、キャビネット５０のスタンドとして用いることができる。この場合には、使用者がキャビネット５０及び蓋体８間の角度を変えることにより、液晶ディスプレイ５１の表示面を見易い状態に自由に設定することができる。また、図１６Ｂは、蓋体８をキャビネット５０の表示面に対して略３６０度の角度だけ回動して、その蓋体８をキャビネット５０の裏面に重ね合わせるようにした状態を示す。これにより、使用者がコントロール装置２を手で持って画面を見るときに、蓋体８が邪魔にならないようにすることができる。
【００６１】
図１７Ａは、上述したコントロール装置２に使用される２個のスプリングピン６２のうち、いずれか一方の代わりに、回転軸６７を設け、この回転軸６７によって蓋体８及び連結ブロック６１間を回動自在に連結した例を示すものである。この場合、キャビネット５０の突条部５９ａ及び連結ブロック６１間は、上述した実施例と同様に、スプリングピン６２によって弾性摩擦を伴って回動自在に連結される。尚、蓋体８及びキャビネット５０の各自由端には、それぞれ滑り止め部材としての滑り止めゴム６８ａ，６８ｂが貼着されている。
【００６２】
図１７Ｂは、図１７Ａに示すコントロール装置２の動作を説明するものである。使用者がコントロール装置２を手で持ち、蓋体８をキャビネット５０の表示面に対して約９０度開いている状態を示す。これにより、蓋体８が日除けとなる。この場合、回転軸６７をスプリングピン６２の斜め後ろまで移動させることにより、回転軸６７が蓋体８及び連結ブロック６１間を弾性摩擦を伴わないで回動自在に連結するにも係わらず、スプリングピン６２及び連結ブロック６１間の弾性摩擦によって蓋体８をキャビネット５０の表示面に対して略９０度に保つことができる。
【００６３】
図１７Ｃは、蓋体８をキャビネット５０の表示面に対して２７０度以上の任意の角度だけ回動し、このキャビネット５０及び蓋体８の各自由端を机等の平面Ｐ上に載置することによって蓋体８を、キャビネット５０のスタンドとして使用する状態を示す。このとき、キャビネット５０及び蓋体８間の角度を変えて、使用者がキャビネット５０の表示面を見易い状態にすることができる。また、滑り止め用ゴム６８ａ，６８ｂによって蓋体８及びキャビネット５０が机等の平面Ｐ上を滑らないので、回転軸６７によって蓋体８及び連結ブロック６１間に弾性摩擦を伴うことがなく、回動自在に連結されていても蓋体８をスタンドとして使用可能である。
【００６４】
図１８は、２個のスプリングピン６２の弾性を異ならしめた例を示すものである。例えば、一対のスプリングピン６２ａ，６２ｂのうち、いずれか一方の径を大にし、他方の径を小にすることによって、互いの弾性を異ならせるようにしたものである。この場合には、蓋体８をキャビネット５０の表示面に対して開くとき及び閉じるときにおいて、蓋体８及び連結ブロック６１間並びに連結ブロック６１及びキャビネット５０間のうち、弾性の弱い方のスプリングピンが介在されている方を優先的に回動させることができ、これによりキャビネット５０に対する蓋体８の回動を円滑に行わせることができる。
【００６５】
また、図１９Ａは、２個のスプリングピン６２の一方、例えば、スプリングピン６２ａの代わりに、クリック円板６９を設けた例を示すものである。この実施例に示すコントロール装置２では、蓋体８のキャビネット５０の表示面に対する角度を、所定角度置きに多段階に切り換えることができる。図１９Ｂには、クリック円板６９を分解して拡大して示す。それぞれ蓋体８及び連結ブロック６１に取り付けられた基部ａ、ｅ間に、クリック凸円板ｂ、クリック凹円板ｃ及び板ばねｄが積層された構造を有している。
【００６６】
図２０Ａは、上述したクリック円板６９のクリック位置を２箇所に設定した例を示すものである。図２０Ｂに示すように、蓋体８を開くとき、蓋体８のキャビネット５０の表示面に対する角度が１８０度強まで開くときは、蓋体８及び連結ブロック６１間のスプリングピン６２ａを介した弾性摩擦を伴った回動が行われる。その後、図２０Ｃに示すように、連結ブロック６１及びキャビネット５０間のクリック円板６９を介して回動が行われ、蓋体８がキャビネット５０の底面に付くようになる。このため、キャビネット５０の表示面に対する蓋体８の回動が円滑に行われる。
【００６７】
図２１には、コントロール装置２の更に他の実施例を示す。図２１に示す例は、一対のスプリングピン６２ａ，６２ｂの一方、例えば、スプリングピン６２ｂの代わりに、２枚のギア８４ａ，８４ｂを有するギア装置８３を設けたものである。一方のギア８４ａには回転軸８５が挿通されており、この回転軸８５が連結ブロック６１に固定されている。また、他方のギア８４ｂは、キャビネット５０に回転自在に取り付けられている。これらのギア８４ａ，８４ｂは互いに噛合されて、ギアボックス８６内に収納されている。尚、一方のギア８４ａは他方のギア８４ｂよりも小径に形成されている。これにより、一方のギア８４ａで他方のギア８４ｂを回動するときに減速させ、連結ブロック６１及びキャビネット５０間を、摩擦を伴って回動させることができる。
【００６８】
このような構成を有するコントロール装置２の使用は、本実施例のＤＶＤプレーヤ１に限定されるものではなく、例えば、ＰＤＡ(Personal Digital Assistants) 、小型ワードプロセッサ、小型マイクロコンピュータ、電子辞書、ポータブルテレビ受像機、小型電子時計等に用いて好適であるが、卓上型のこれら電子機器、その他の電子機器にも適用し得るものである。
【００６９】
また、図１１には、ＤＶＤプレーヤ１と図示しない家庭電源等を接続して電源装置３に充電する状態を示す。図１１において、符号９０は、ＤＶＤプレーヤ１を保管保持するための保持スタンド９０である。この保持スタンド９０は、上面に保持溝が形成された保持部９０ａと、この保持部９０ａの下部に連続する保持台９０ｂとからなり、保持台９０ｂは十分に大きな載置面を確保できるよう展開いされて広く形成されている。
【００７０】
また、保持部９０ａの保持溝方向の両側には、ＤＶＤプレーヤ１の側面を支持するための支持片９１，９２が設けられている。そして、一方の支持片９１の先端部には、プレーヤ本体６の側面に設けた凹部に係合される爪部９１ａが設けられている。この爪部９１ａを設けたことにより、電源装置３を装着したことによって周方向の重量バランスが不均一とされたＤＶＤプレーヤ１を、図１１に示すように、電源装置３を横向きにした状態においても回転することなく、確実に保持することができる。
【００７１】
尚、図１１に示す符号９３は、家庭用コンセント等の電源とＤＶＤプレーヤ１との間を接続するための接続コードである。この接続コード９３の一端に、充電用のプラグ９４が取り付けられている。この充電用プラグ９４は、プレーヤ本体６の第２のソケット部２９に着脱自在とされている。そして、充電用プラグ９４の中央の半円形部分を押圧することによって端子部が後退動作して、第２のソケット部２９との接続が解除されるようになされている。
【００７２】
以上説明したが、本発明は上記実施の例に限定されるものではなく、例えば、上記実施例においては、情報再生装置としてＤＶＤプレーヤ１を例にとり、その液晶ディスプレイ付きリモートコントロール装置をコントロール装置２とした例について説明したが、例えば、携帯用ＣＤプレーヤ、携帯用ディスクドライブ装置その他の電子機器及びそのリモートコントロール装置にも適用することができるものである。また、上記実施例においては、ＤＶＤプレーヤ１及びコントロール装置２間を有線によって接続した例について説明したが、信号伝達手段として無線を適用し、ＤＶＤプレーヤ１及びコントロール装置２間を無線によって接続して信号の遣り取りを行う構成としても良いことは勿論である。このように、本発明は、その趣旨を逸脱しない範囲で種々変更できるものである。
【００７３】
以上説明したように、本出願の電子機器によれば、情報再生装置と、これとは別体のコントロール装置と、情報再生装置及びコントロール装置間を接続して信号の遣り取りを行う信号伝達手段と、電源装置とを設け、電源装置の第１の電池収納体と第２の電池収納体との間に情報再生装置を出し入れ可能として、情報再生装置に電源装置を着脱可能に構成したため、ＤＶＤプレーヤ等の情報再生装置を手に持つことなく、表示部の付いたコントロール装置のみを手に持って情報再生装置の操作を行うことができ、ＤＶＤプレーヤ等をヘッドホンステレオ等と同様にアウトドアで気軽に楽しむことができるという効果を得ることができる。
【図面の簡単な説明】
【図１】本発明の電子装置の一実施例の構成を示す斜視図斜視図である。
【図２】本発明の電子装置に係る情報再生装置の一具体例を示すＤＶＤプレーヤに電源装置を装着した状態を示す外観斜視図である。
【図３】図２に示す電源装置付きＤＶＤプレーヤの平面図である。
【図４】図２に示す電源装置付きＤＶＤプレーヤの電源装置を半分に断面した底面図である。
【図５】図１に示す電源装置を取り除いたＤＶＤプレーヤの平面図である。
【図６】図２に示す電源装置付きＤＶＤプレーヤの電源装置を半分に断面した正面図である。
【図７】図１に示す電源装置を取り除いたＤＶＤプレーヤの背面図である。
【図８】図２に示す電源装置付きＤＶＤプレーヤの側面図である。
【図９】図１に示す電源装置を取り除いたＤＶＤプレーヤの側面図である。
【図１０】図１に示す電源装置を取り除いたＤＶＤプレーヤの蓋体を開いた状態を示す斜視図である。
【図１１】図２に示す電源装置付きＤＶＤプレーヤに電力を充電する状態を示す説明図である。
【図１２】本発明の電子機器に係るコントロール装置の第１の実施例を示すもので、同図Ａは平面図、同図Ｂは側面図、同図Ｃはスプリングピンの拡大斜視図である。
【図１３】本発明の電子機器に係るコントロール装置の第１の実施例を示すもので、蓋体を開いた状態の平面図である。
【図１４】本発明の電子機器に係るコントロール装置の第１の実施例を示すもので、図１３の中央部を断面して示す説明図である。
【図１５】本発明の電子機器に係るコントロール装置の第１の実施例を示すもので、同図Ａは蓋体を９０度より僅か少ない角度で開いた状態の側面図、同図Ｂは略９０度開いた状態の側面図である。
【図１６】本発明の電子機器に係るコントロール装置の第１の実施例を示すもので、同図Ａは蓋体を略２７０度以上開いてスタンドとした状態の側面図、同図Ｂは略３６０度開いた状態の側面図である。
【図１７】本発明の電子機器に係るコントロール装置の第２の実施例を示すもので、同図Ａは側面図、同図Ｂは略９０度開いた状態の側面図、同図Ｃは略２７０度開いた状態の側面図である。
【図１８】本発明の電子機器に係るコントロール装置の第３の実施例を示す側面図である。
【図１９】本発明の電子機器に係るコントロール装置の第４の実施例を示すもので、同図Ａは平面図、同図Ｂはクリック円板の拡大分解斜視図である。
【図２０】本発明の電子機器に係るコントロール装置の第５の実施例を示すもので、同図Ａは平面図、同図Ｂは蓋体を開いた側面図、同図Ｃは蓋体を底面に付けた状態の側面図である。
【図２１】本発明の電子機器に係るコントロール装置の第６の実施例を示すもので、同図Ａは平面図、同図Ｂは側面図である。
【符号の説明】
１  ＤＶＤプレーヤ（情報再生装置）、  ２  コントロール装置、  ３  電源装置、  ４  接続コード（信号伝達手段）、  ６  プレーヤ本体、  ７  ディスク収納部、  ８  蓋体、  ９  バックル体、  １０  ディスクドライブ装置、  １１  ターンテーブル、  １２  光学ピックアップ装置（ピックアップ装置）、１９  検出片、  ２０  検出穴、  ２８，２９  ソケット部、  ３４，３５  電池ケース、  ４０  電池、  ５０  キャビネット、  ５１  液晶ディスプレイ（表示部）、  ５２  開閉蓋（蓋体）、  ５３  操作部、  ６１  連結ブロック、  ６２，６２ａ，６２ｂ  スプリングピン（抵抗手段）、  ９０  保持スタンド
【図１】
0004720031.tif 000002
【図２】
0004720031.tif 000003
【図３】
0004720031.tif 000004
【図４】
0004720031.tif 000005
【図５】
0004720031.tif 000006
【図６】
0004720031.tif 000007
【図７】
0004720031.tif 000008
【図８】
0004720031.tif 000009
【図９】
0004720031.tif 000010
【図１０】
0004720031.tif 000011
【図１１】
0004720031.tif 000012
【図１２】
0004720031.tif 000013
【図１３】
0004720031.tif 000014
【図１４】
0004720031.tif 000015
【図１５】
0004720031.tif 000016
【図１６】
0004720031.tif 000017
【図１７】
0004720031.tif 000018
【図１８】
0004720031.tif 000019
【図１９】
0004720031.tif 000020
【図２０】
0004720031.tif 000021
【図２１】
0004720031.tif 000022